(57)【要約】【課題】操作画面の表示スペースを有効に利用して宛先指定領域と宛先リストとを表示し、誤送信を良好に抑制することが可能な技術を提供する。【解決手段】ＭＦＰ（画像送信装置）の操作部に表示される操作画面２００は、宛先指定領域２５０と件数表示領域２７０とを有する。宛先指定領域２５０は、画像データの宛先の候補である複数の選択肢を表示する領域であるとともに、宛先を複数の選択肢の中から指定する指定操作を受け付ける領域である。件数表示領域２７０は、当該指定操作により指定された宛先の件数を表示する領域である。ＭＦＰ１０は、件数表示領域２７０に対する操作が受け付けられることを条件として、宛先リスト領域（宛先指定領域２５０に対する指定操作によって指定された宛先をリスト表示する領域）２８０を、操作画面２００に表示する。【選択図】図５
2015226269.tif 000002
【特許請求の範囲】
【請求項１】
画像データを送信する画像送信装置であって、
操作画面を表示するとともに前記操作画面に対するユーザ操作を受け付ける操作部と、
前記操作画面における表示内容を制御する制御手段と、
を備え、
前記操作画面は、
前記画像データの宛先の候補である複数の選択肢を表示するとともに、前記複数の選択肢を用いて前記宛先を指定する指定操作を受け付ける宛先指定領域と、
前記指定操作により指定された前記宛先の件数を表示する件数表示領域と、
を有し、
前記制御手段は、前記件数表示領域に対する操作である特定操作が受け付けられることを条件として、前記指定操作によって指定された前記宛先をリスト表示する宛先リスト領域を、前記操作画面に表示することを特徴とする画像送信装置。
【請求項２】
請求項１に記載の画像送信装置において、
前記制御手段は、前記指定操作により前記宛先として指定されている選択肢である指定済み選択肢の個数がゼロである場合には、前記特定操作が受け付けられても、前記宛先リスト領域を前記操作画面に表示しないことを特徴とする画像送信装置。
【請求項３】
請求項２に記載の画像送信装置において、
前記制御手段は、前記指定済み選択肢の個数が１以上である場合には、前記特定操作に応答して前記宛先リスト領域を前記操作画面に表示することを特徴とする画像送信装置。
【請求項４】
請求項１に記載の画像送信装置において、
前記宛先指定領域は、前記宛先指定領域にて一斉に表示可能な選択肢の最大数を超える数の前記複数の選択肢をスクロール表示により選択的に表示することが可能であり、
前記制御手段は、前記指定操作により前記宛先として指定されている選択肢である指定済み選択肢の全てが前記特定操作の受付時点において前記宛先指定領域に表示されている場合には、前記特定操作が受け付けられても前記宛先リスト領域を前記操作画面に表示しないことを特徴とする画像送信装置。
【請求項５】
請求項４に記載の画像送信装置において、
前記制御手段は、前記指定済み選択肢の少なくとも１つが前記特定操作の受付時点において前記宛先指定領域に表示されていない場合には、前記特定操作に応答して前記宛先リスト領域を前記操作画面に表示することを特徴とする画像送信装置。
【請求項６】
請求項１に記載の画像送信装置において、
前記制御手段は、前記宛先リスト領域を一旦非表示にした後に前記宛先リスト領域を再び表示する際には、前記指定操作により前記宛先として指定されている選択肢である指定済み選択肢のうち前記宛先リスト領域にて未だリスト表示されていない選択肢を優先的に表示することを特徴とする画像送信装置。
【請求項７】
請求項１に記載の画像送信装置において、
前記制御手段は、前記宛先指定領域のうち、前記指定操作により前記宛先として指定されている選択肢である指定済み選択肢が配置されている領域を避けて、前記宛先リスト領域を表示することを特徴とする画像送信装置。
【請求項８】
請求項７に記載の画像送信装置において、
前記制御手段は、前記宛先指定領域のうち前記指定済み選択肢が配置されていない領域を利用して、前記宛先リスト領域を表示することを特徴とする画像送信装置。
【請求項９】
請求項８に記載の画像送信装置において、
前記宛先指定領域において、所定数の選択肢が左右方向において複数の列に区分されて表示されており、
前記制御手段は、
前記宛先指定領域のうち左右方向における一方端の列に前記指定済み選択肢が配置されていない場合には、前記一方端の列の配置領域と前記一方端側において前記宛先指定領域に隣接する隣接領域とを利用して前記宛先リスト領域を表示し、
前記宛先指定領域のうち前記一方端の列に前記指定済み選択肢が配置されており且つ前記左右方向における他方端の列に前記指定済み選択肢が配置されていない場合には、前記他方端の列の配置領域と前記他方端側において前記宛先指定領域に隣接する隣接領域とを利用して前記宛先リスト領域を表示することを特徴とする画像送信装置。
【請求項１０】
請求項９に記載の画像送信装置において、
前記制御手段は、前記宛先指定領域のうち前記一方端の列と前記他方端の列との双方に前記指定済み選択肢が配置されている場合には、前記特定操作が受け付けられても、前記宛先リスト領域を前記操作画面に表示しないことを特徴とする画像送信装置。
【請求項１１】
請求項１０に記載の画像送信装置において、
前記制御手段は、前記宛先指定領域のうち前記一方端の列と前記他方端の列との双方に前記指定済み選択肢が配置されている場合には、前記特定操作に応答して、前記宛先リスト領域の表示サイズを低減した上で前記宛先リスト領域を前記操作画面に表示することを特徴とする画像送信装置。
【請求項１２】
請求項１１に記載の画像送信装置において、
前記制御手段は、前記宛先指定領域内の各選択肢を示す文字が配置される領域を避け得る大きさにまで前記宛先リスト領域の前記表示サイズを低減して、前記宛先リスト領域を前記操作画面に表示することを特徴とする画像送信装置。
【請求項１３】
請求項１１または請求項１２に記載の画像送信装置において、
前記制御手段は、前記宛先リスト領域の表示内容を縮小して前記宛先リスト領域の前記表示サイズを低減することを特徴とする画像送信装置。
【請求項１４】
請求項１１または請求項１２に記載の画像送信装置において、
前記制御手段は、前記宛先リスト領域内の表示件数を低減して前記宛先リスト領域の前記表示サイズを低減することを特徴とする画像送信装置。
【請求項１５】
請求項１に記載の画像送信装置において、
前記制御手段は、前記宛先指定領域のうち、前記宛先として指定されていない選択肢である非指定選択肢が配置されている領域を避けて、前記宛先リスト領域を表示することを特徴とする画像送信装置。
【請求項１６】
請求項１５に記載の画像送信装置において、
前記制御手段は、前記宛先指定領域のうち前記非指定選択肢が配置されていない領域を利用して、前記宛先リスト領域を表示することを特徴とする画像送信装置。
【請求項１７】
請求項１６に記載の画像送信装置において、
前記宛先指定領域において、所定数の選択肢が左右方向において複数の列に区分されて表示されており、
前記制御手段は、
前記宛先指定領域のうち左右方向における一方端の列に前記非指定選択肢が配置されていない場合には、前記一方端の列の配置領域と前記一方端側において前記宛先指定領域に隣接する隣接領域とを利用して前記宛先リスト領域を表示し、
前記宛先指定領域のうち前記一方端の列に前記非指定選択肢が配置されており且つ前記左右方向における他方端の列に前記非指定選択肢が配置されていない場合には、前記他方端の列の配置領域と前記他方端側において前記宛先指定領域に隣接する隣接領域とを利用して前記宛先リスト領域を表示することを特徴とする画像送信装置。
【請求項１８】
請求項１７に記載の画像送信装置において、
前記制御手段は、前記宛先指定領域のうち前記一方端の列と前記他方端の列との双方に前記非指定選択肢が配置されている場合には、前記特定操作が受け付けられても、前記宛先リスト領域を前記操作画面に表示しないことを特徴とする画像送信装置。
【請求項１９】
請求項１８に記載の画像送信装置において、
前記制御手段は、前記宛先指定領域のうち前記一方端の列と前記他方端の列との双方に前記非指定選択肢が配置されている場合には、前記特定操作に応答して、前記宛先リスト領域の表示サイズを低減した上で前記宛先リスト領域を前記操作画面に表示することを特徴とする画像送信装置。
【請求項２０】
請求項１９に記載の画像送信装置において、
前記制御手段は、前記宛先指定領域内の各選択肢を示す文字が配置される領域を避け得る大きさにまで前記宛先リスト領域の前記表示サイズを低減して、前記宛先リスト領域を前記操作画面に表示することを特徴とする画像送信装置。
【請求項２１】
請求項１９または請求項２０に記載の画像送信装置において、
前記制御手段は、前記宛先リスト領域の表示内容を縮小して前記宛先リスト領域の前記表示サイズを低減することを特徴とする画像送信装置。
【請求項２２】
請求項１９または請求項２０に記載の画像送信装置において、
前記制御手段は、前記宛先リスト領域内の表示件数を低減して前記宛先リスト領域の前記表示サイズを低減することを特徴とする画像送信装置。
【請求項２３】
画像データを送信する画像送信装置に内蔵されたコンピュータに、
ａ）前記画像データの宛先の候補である複数の選択肢を表示する宛先指定領域であって前記複数の選択肢を用いて前記宛先を指定する指定操作を受け付ける宛先指定領域と、前記指定操作により指定された前記宛先の件数を表示する件数表示領域とを有する操作画面を、前記画像送信装置の操作部に表示するステップと、
ｂ）前記件数表示領域に対する操作である特定操作を受け付けるステップと、
ｃ）前記特定操作が受け付けられることを条件として、前記指定操作によって指定された前記宛先をリスト表示する宛先リスト領域を、前記操作画面に表示するステップと、
を実行させるためのプログラム。
【発明の詳細な説明】
【技術分野】
【０００１】
本発明は、ＭＦＰ（マルチ・ファンクション・ペリフェラル（Multi-Functional Peripheral））などの画像送信装置およびそれに関連する技術に関する。
【背景技術】
【０００２】
ＭＦＰの画像送信においては、或る画像を複数の送信先に一斉に送信する同報送信が行われることがある。より詳細には、ＭＦＰの操作用のタッチパネルにおいて宛先指定領域が表示される。この宛先指定領域には、複数の送信先にそれぞれ対応する複数の選択肢が１列もしくは複数列に整列されて配置されている。そして、操作者は、当該複数の選択肢の中から複数の所望の選択肢を見つけ出し、当該複数の所望の選択肢に対応する複数のボタンを順次に押下して、当該複数の所望の選択肢を宛先として指定する操作を行う。その後、スタートボタン等が押下されて画像が送信される。
【０００３】
また、近年のＭＦＰは、各種の画像送信機能を有している。例えばファクシミリによる画像送信、および電子メールに画像データを添付して送信する画像送信機能等が存在する。特に、近年のＭＦＰは、同報送信において、上述のような各種の複数の送信先を指定して１つの画像データを１つの送信操作で送信することも可能であり、そのような場合には、送信先の数は特に増大する傾向にある。
【０００４】
ここにおいて、画像送信において送信先を誤ること（誤送信）は避けるべきである。しかしながら、指定する送信先が多数である場合には、そのような誤送信が特に発生し易い。
【０００５】
このような誤送信の発生を抑制する技術として、指定した宛先がリストアップされた宛先リストを表示する技術が存在する（たとえば、特許文献１，２参照）。
【先行技術文献】
【特許文献】
【０００６】
【特許文献１】特開２００８−２５９１４３号公報
【特許文献２】特開２００２−３６８９２９号公報
【発明の概要】
【発明が解決しようとする課題】
【０００７】
しかしながら、特許文献１，２に記載の技術は、いずれも、宛先指定領域に対して宛先リストが常時表示される技術である。宛先リストが宛先指定領域に対して常時表示される場合には、宛先リストと宛先指定領域とのうちの少なくとも一方の領域が小さくならざるを得ず、必ずしも十分に表示スペースを有効に利用できていない。また、宛先指定領域の大きさを一定程度以上確保しようとすると、宛先リストの表示領域が小さくなり宛先の文字が小さくなる。その結果、宛先の確認が難しくなり、誤送信の抑制効果が大きく低下してしまう。
【０００８】
また、上位機種のＭＦＰにおいては、比較的大きな操作パネルが設けられているのに対して、下位機種のＭＦＰにおいては、コスト削減の要請等により、比較的小さな操作パネルが設けられていることが多い。特に、下位機種のＭＦＰ等において宛先リストが宛先指定領域に対して常時表示される場合には、宛先リストが比較的小さく表示され易く、誤送信が発生し易い。
【０００９】
そこで、この発明は、操作画面内の表示スペースを有効に利用して宛先指定領域と宛先リストとを表示し、誤送信を良好に抑制することが可能な画像送信装置、およびそれに関連する技術を提供することを課題とする。
【課題を解決するための手段】
【００１０】
上記課題を解決すべく、請求項１の発明は、画像データを送信する画像送信装置であって、操作画面を表示するとともに前記操作画面に対するユーザ操作を受け付ける操作部と、前記操作画面における表示内容を制御する制御手段と、を備え、前記操作画面は、前記画像データの宛先の候補である複数の選択肢を表示するとともに、前記複数の選択肢を用いて前記宛先を指定する指定操作を受け付ける宛先指定領域と、前記指定操作により指定された前記宛先の件数を表示する件数表示領域と、を有し、前記制御手段は、前記件数表示領域に対する操作である特定操作が受け付けられることを条件として、前記指定操作によって指定された前記宛先をリスト表示する宛先リスト領域を、前記操作画面に表示することを特徴とする。
【００１１】
請求項２の発明は、請求項１の発明に係る画像送信装置において、前記制御手段は、前記指定操作により前記宛先として指定されている選択肢である指定済み選択肢の個数がゼロである場合には、前記特定操作が受け付けられても、前記宛先リスト領域を前記操作画面に表示しないことを特徴とする。
【００１２】
請求項３の発明は、請求項２の発明に係る画像送信装置において、前記制御手段は、前記指定済み選択肢の個数が１以上である場合には、前記特定操作に応答して前記宛先リスト領域を前記操作画面に表示することを特徴とする。
【００１３】
請求項４の発明は、請求項１の発明に係る画像送信装置において、前記宛先指定領域は、前記宛先指定領域にて一斉に表示可能な選択肢の最大数を超える数の前記複数の選択肢をスクロール表示により選択的に表示することが可能であり、前記制御手段は、前記指定操作により前記宛先として指定されている選択肢である指定済み選択肢の全てが前記特定操作の受付時点において前記宛先指定領域に表示されている場合には、前記特定操作が受け付けられても前記宛先リスト領域を前記操作画面に表示しないことを特徴とする。
【００１４】
請求項５の発明は、請求項４の発明に係る画像送信装置において、前記制御手段は、前記指定済み選択肢の少なくとも１つが前記特定操作の受付時点において前記宛先指定領域に表示されていない場合には、前記特定操作に応答して前記宛先リスト領域を前記操作画面に表示することを特徴とする。
【００１５】
請求項６の発明は、請求項１の発明に係る画像送信装置において、前記制御手段は、前記宛先リスト領域を一旦非表示にした後に前記宛先リスト領域を再び表示する際には、前記指定操作により前記宛先として指定されている選択肢である指定済み選択肢のうち前記宛先リスト領域にて未だリスト表示されていない選択肢を優先的に表示することを特徴とする。
【００１６】
請求項７の発明は、請求項１の発明に係る画像送信装置において、前記制御手段は、前記宛先指定領域のうち、前記指定操作により前記宛先として指定されている選択肢である指定済み選択肢が配置されている領域を避けて、前記宛先リスト領域を表示することを特徴とする。
【００１７】
請求項８の発明は、請求項７の発明に係る画像送信装置において、前記制御手段は、前記宛先指定領域のうち前記指定済み選択肢が配置されていない領域を利用して、前記宛先リスト領域を表示することを特徴とする。
【００１８】
請求項９の発明は、請求項８の発明に係る画像送信装置において、前記宛先指定領域において、所定数の選択肢が左右方向において複数の列に区分されて表示されており、前記制御手段は、前記宛先指定領域のうち左右方向における一方端の列に前記指定済み選択肢が配置されていない場合には、前記一方端の列の配置領域と前記一方端側において前記宛先指定領域に隣接する隣接領域とを利用して前記宛先リスト領域を表示し、前記宛先指定領域のうち前記一方端の列に前記指定済み選択肢が配置されており且つ前記左右方向における他方端の列に前記指定済み選択肢が配置されていない場合には、前記他方端の列の配置領域と前記他方端側において前記宛先指定領域に隣接する隣接領域とを利用して前記宛先リスト領域を表示することを特徴とする。
【００１９】
請求項１０の発明は、請求項９の発明に係る画像送信装置において、前記制御手段は、前記宛先指定領域のうち前記一方端の列と前記他方端の列との双方に前記指定済み選択肢が配置されている場合には、前記特定操作が受け付けられても、前記宛先リスト領域を前記操作画面に表示しないことを特徴とする。
【００２０】
請求項１１の発明は、請求項１０の発明に係る画像送信装置において、前記制御手段は、前記宛先指定領域のうち前記一方端の列と前記他方端の列との双方に前記指定済み選択肢が配置されている場合には、前記特定操作に応答して、前記宛先リスト領域の表示サイズを低減した上で前記宛先リスト領域を前記操作画面に表示することを特徴とする。
【００２１】
請求項１２の発明は、請求項１１の発明に係る画像送信装置において、前記制御手段は、前記宛先指定領域内の各選択肢を示す文字が配置される領域を避け得る大きさにまで前記宛先リスト領域の前記表示サイズを低減して、前記宛先リスト領域を前記操作画面に表示することを特徴とする。
【００２２】
請求項１３の発明は、請求項１１または請求項１２の発明に係る画像送信装置において、前記制御手段は、前記宛先リスト領域の表示内容を縮小して前記宛先リスト領域の前記表示サイズを低減することを特徴とする。
【００２３】
請求項１４の発明は、請求項１１または請求項１２の発明に係る画像送信装置において、前記制御手段は、前記宛先リスト領域内の表示件数を低減して前記宛先リスト領域の前記表示サイズを低減することを特徴とする。
【００２４】
請求項１５の発明は、請求項１の発明に係る画像送信装置において、前記制御手段は、前記宛先指定領域のうち、前記宛先として指定されていない選択肢である非指定選択肢が配置されている領域を避けて、前記宛先リスト領域を表示することを特徴とする。
【００２５】
請求項１６の発明は、請求項１５の発明に係る画像送信装置において、前記制御手段は、前記宛先指定領域のうち前記非指定選択肢が配置されていない領域を利用して、前記宛先リスト領域を表示することを特徴とする。
【００２６】
請求項１７の発明は、請求項１６の発明に係る画像送信装置において、前記宛先指定領域において、所定数の選択肢が左右方向において複数の列に区分されて表示されており、前記制御手段は、前記宛先指定領域のうち左右方向における一方端の列に前記非指定選択肢が配置されていない場合には、前記一方端の列の配置領域と前記一方端側において前記宛先指定領域に隣接する隣接領域とを利用して前記宛先リスト領域を表示し、前記宛先指定領域のうち前記一方端の列に前記非指定選択肢が配置されており且つ前記左右方向における他方端の列に前記非指定選択肢が配置されていない場合には、前記他方端の列の配置領域と前記他方端側において前記宛先指定領域に隣接する隣接領域とを利用して前記宛先リスト領域を表示することを特徴とする。
【００２７】
請求項１８の発明は、請求項１７の発明に係る画像送信装置において、前記制御手段は、前記宛先指定領域のうち前記一方端の列と前記他方端の列との双方に前記非指定選択肢が配置されている場合には、前記特定操作が受け付けられても、前記宛先リスト領域を前記操作画面に表示しないことを特徴とする。
【００２８】
請求項１９の発明は、請求項１８の発明に係る画像送信装置において、前記制御手段は、前記宛先指定領域のうち前記一方端の列と前記他方端の列との双方に前記非指定選択肢が配置されている場合には、前記特定操作に応答して、前記宛先リスト領域の表示サイズを低減した上で前記宛先リスト領域を前記操作画面に表示することを特徴とする。
【００２９】
請求項２０の発明は、請求項１９の発明に係る画像送信装置において、前記制御手段は、前記宛先指定領域内の各選択肢を示す文字が配置される領域を避け得る大きさにまで前記宛先リスト領域の前記表示サイズを低減して、前記宛先リスト領域を前記操作画面に表示することを特徴とする。
【００３０】
請求項２１の発明は、請求項１９または請求項２０の発明に係る画像送信装置において、前記制御手段は、前記宛先リスト領域の表示内容を縮小して前記宛先リスト領域の前記表示サイズを低減することを特徴とする。
【００３１】
請求項２２の発明は、請求項１９または請求項２０の発明に係る画像送信装置において、前記制御手段は、前記宛先リスト領域内の表示件数を低減して前記宛先リスト領域の前記表示サイズを低減することを特徴とする。
【００３２】
請求項２３の発明は、画像データを送信する画像送信装置に内蔵されたコンピュータに、ａ）前記画像データの宛先の候補である複数の選択肢を表示する宛先指定領域であって前記複数の選択肢を用いて前記宛先を指定する指定操作を受け付ける宛先指定領域と、前記指定操作により指定された前記宛先の件数を表示する件数表示領域とを有する操作画面を、前記画像送信装置の操作部に表示するステップと、ｂ）前記件数表示領域に対する操作である特定操作を受け付けるステップと、ｃ）前記特定操作が受け付けられることを条件として、前記指定操作によって指定された前記宛先をリスト表示する宛先リスト領域を、前記操作画面に表示するステップと、を実行させるためのプログラムであることを特徴とする。
【発明の効果】
【００３３】
請求項１ないし請求項２３に記載の発明によれば、操作画面内の表示スペースを有効に利用して宛先指定領域と宛先リストとを表示し、誤送信を良好に抑制することが可能である。
【図面の簡単な説明】
【００３４】
【図１】画像送信装置の外観を示す図である。
【図２】画像送信装置の機能ブロックを示す図である。
【図３】タッチパネルに表示される操作画面（送信先設定画面）を示す図である。
【図４】宛先件数の表示動作を示すフローチャートである。
【図５】５つの選択肢が指定された送信先設定画面を示す図である。
【図６】宛先リスト領域の表示動作等を示すフローチャートである。
【図７】宛先リスト領域が表示された送信先設定画面を示す図である。
【図８】第２実施形態に係る宛先リスト領域の表示動作等を示すフローチャートである。
【図９】スクロール表示後の別の２つの選択肢が指定された送信先設定画面を示す図である。
【図１０】図９の操作画面の件数表示領域の押下に応答して宛先リスト領域が表示された様子を示す図である。
【図１１】図１０の宛先リスト領域内の宛先リストがスクロール表示された様子を示す図である。
【図１２】第３実施形態に係る宛先リストの表示処理を示すフローチャートである。
【図１３】表示管理用データを示す図である。
【図１４】表示管理用データを示す図である。
【図１５】宛先リスト領域が表示された送信先設定画面を示す図である。
【図１６】第４実施形態に係る宛先リスト領域の表示動作等を示すフローチャートである。
【図１７】宛先リスト領域が表示された送信先設定画面を示す図である。
【図１８】小サイズの宛先リスト領域が表示された送信先設定画面を示す図である。
【図１９】小サイズの宛先リスト領域が表示された送信先設定画面を示す図である。
【図２０】小サイズの宛先リスト領域が表示された送信先設定画面を示す図である。
【図２１】変形例に係る宛先リスト領域の表示動作等を示すフローチャートである。
【図２２】変形例に係る送信先設定画面を示す図である。
【図２３】第５実施形態に係る宛先リスト領域の表示動作等を示すフローチャートである。
【図２４】第５実施形態に係る送信先設定画面を示す図である。
【図２５】宛先リスト領域が表示された送信先設定画面を示す図である。
【発明を実施するための形態】
【００３５】
以下、本発明の実施形態を図面に基づいて説明する。
【００３６】
＜１．第１実施形態＞
＜１−１．構成概要＞
図１は、画像送信装置１０の外観を示す図であり、図２は、画像送信装置１０の機能ブロックを示す図である。ここでは、画像送信装置１０として、ＭＦＰ（マルチ・ファンクション・ペリフェラル（Multi-Functional Peripheral））を例示する。
【００３７】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ（制御部）９等を備えており、これらの各部を複合的に動作させることによって、各種の機能を実現する。
【００３８】
画像読取部２は、ＭＦＰ１０の所定の位置に載置された原稿を光学的に読み取って、当該原稿の画像データを生成する処理部である。
【００３９】
印刷出力部３は、印刷対象に関するデータに基づいて紙などの各種の媒体に画像を印刷出力する出力部である。印刷出力部３は、格納部５に格納された電子文書ファイルの印刷出力を行うことも可能である。
【００４０】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。
【００４１】
格納部５は、ハードディスクドライブ（ＨＤＤ）等の記憶装置で構成される。格納部５は、印刷ジョブに係るデータ等を記憶する。
【００４２】
操作部６は、ＭＦＰ１０に対する入力を受け付ける操作入力部６ａと、各種情報の表示出力を行う表示部６ｂとを備えている。
【００４３】
このＭＦＰ１０においては、略板状の操作パネル部６ｃ（図１参照）が設けられている。また、操作パネル部６ｃは、その正面側にタッチパネル２５（図１参照）を有している。タッチパネル２５は、液晶表示パネルに圧電センサ等が埋め込まれて構成され、各種情報を表示するとともに操作者からの操作入力を受け付けることが可能である。たとえば、タッチパネル２５においては、各種の操作画面（ボタン画像等を含む）が表示される。操作者は、タッチパネル２５内に仮想的に配置されるボタンを押下することによって、画像送信装置１０の各種動作内容を設定することなどが可能である。このように、タッチパネル２５は、操作画面を表示するとともに当該操作画面に対するユーザ操作を受け付ける。換言すれば、タッチパネル２５は、表示部６ｂの一部としても機能するとともに、操作入力部６ａの一部としても機能する。
【００４４】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体、あるいはネットワーク等を介してＭＦＰ１０にインストールされてもよい。
【００４５】
具体的には、図２に示すように、コントローラ９は、プログラムの実行により、入力制御部１１と表示制御部１２と動作制御部１３とを含む各種の処理部を実現する。
【００４６】
表示制御部１２は、表示部６ｂにおける表示内容を制御する処理部である。表示制御部１２は、タッチパネル２５に各種の情報（後述するプレビュー画像等を含む）を表示する動作等を制御する。
【００４７】
入力制御部１１は、操作入力部６ａに対するユーザからの操作入力の受付動作等を制御する処理部である。
【００４８】
動作制御部１３は、各種の動作（スキャン動作およびプリント動作等）を制御する処理部である。
【００４９】
＜１−２．動作＞
図３は、タッチパネル２５に表示される操作画面（より詳細にはスキャン画像の送信先設定画面）２００を示す図である。当該操作画面２００によって指定された送信先（宛先）に、画像データが送信される。画像データの送信処理としては、ファクシミリ回線（電話回線）を介したファクシミリ送信処理、およびネットワーク通信を用いたデータ送信処理等が例示される。ネットワーク通信を用いたデータ送信処理には、画像データのみをＦＴＰ（File Transfer Protocol）あるいはＳＭＢ（Server Message Block）等により送信する態様が含まれるとともに、画像データを電子メールに添付して送信する態様等も含まれる。
【００５０】
図３の操作画面２００は、その略中央部分に、宛先指定領域２５０（図３にて破線で囲まれた２つの領域のうち下側の領域）を有している。宛先指定領域２５０は、画像データの宛先の候補である複数の選択肢を表示するとともに、当該複数の選択肢を用いて当該宛先を指定する宛先指定操作をユーザから受け付ける領域である。換言すれば、宛先指定領域２５０は、画像データの宛先を指定するための複数の宛先指定ボタンが配置される領域である。なお、宛先指定ボタンは、宛先選択ボタン等とも称される。
【００５１】
ここでは、宛先指定領域２５０内において、１５個の宛先指定ボタンが横方向に５列および縦方向に３列（行）に区分されて配置（表示）されている。宛先指定領域２５０においては最大で１５個の宛先指定ボタンが一時点において配置され得る。各宛先指定ボタンには、それぞれ、宛先に関して予め登録された複数の選択肢のいずれかが適宜に割り当てられる。なお、宛先に関する選択肢としては、ファクシミリ送信の送信先（ファクシミリ番号）、電子メールの送信先（メールアドレス）、ＦＴＰによる送信先（ＩＰアドレス）、ＳＭＢによる送信先（コンピュータ名およびフォルダ名）などの各種の送信先が例示される。各種の送信先は、たとえば、宛先種類を示す文字（「ファクシミリ」、「Ｅメール」、「ＦＴＰ」、「ＳＭＢ」等）および／またはアイコン等によって区別されて表示される。また、宛先に関する各選択肢は、それぞれ、単一の送信先を示すものであってもよく、又は（同一種類あるいは異なる種類の）複数の送信先がグループとして纏めて１つの宛先として登録されたものなどであってもよい。
【００５２】
宛先指定領域２５０は、スクロールバー３５０に対する操作（スクロール操作）によって、宛先指定領域２５０における表示対象選択肢を変更することが可能である。たとえば、宛先指定領域２５０の下側に仮想的に存在する別の選択肢を、宛先指定領域２５０にて表示中の選択肢の全部（あるいは一部）に代えて表示することが可能である。同様に、宛先指定領域２５０の上側に仮想的に存在する別の選択肢を、宛先指定領域２５０にて表示中の選択肢の全部（あるいは一部）に代えて表示することが可能である。換言すれば、宛先指定領域２５０は、当該宛先指定領域２５０にて或る時点で一斉に表示可能な選択肢の最大数（ここでは１５個）を超える数の複数（たとえば２５個）の選択肢を、スクロール表示により選択的に表示することが可能である。
【００５３】
操作者は、当該複数の選択肢の中から複数の所望の選択肢を見つけ出し、当該複数の所望の選択肢に対応する複数のボタンを順次に押下して、当該複数の所望の選択肢を宛先として指定する操作（宛先指定操作）を行うことが可能である。
【００５４】
また、操作画面２００は、宛先指定領域２５０の下側において複数の詳細設定呼出ボタン２３０を有している。なお、各詳細設定呼出ボタン２３０が押下されると、各詳細設定呼出ボタン２３０に対応する個別の詳細設定画面が呼び出される。
【００５５】
さらに、操作画面２００は、宛先指定領域２５０の上側において件数表示領域２７０（図３にて破線で囲まれた２つの領域のうち上側の領域）を有している。件数表示領域２７０は、画像データに関する送信処理の宛先件数を表示する領域である。件数表示領域２７０においては、宛先指定領域２５０に対する操作に基づいて複数の選択肢のうち宛先として指定されている選択肢の個数が、当該宛先の件数として表示される。なお、図４は、宛先件数表示動作を示すフローチャートである。
【００５６】
詳細には、図４に示すように、宛先指定領域２５０に表示されている複数の宛先指定ボタンのうち或る宛先指定ボタンが押下され、当該宛先指定ボタンに対応する選択肢が新たに宛先として指定されると（ステップＳ１１でＹＥＳ）、宛先件数が１件インクリメントされる（ステップＳ１２）。そして、ステップＳ１５においては、更新後（インクリメント後）の宛先件数が、件数表示領域２７０に表示される。また、当該宛先指定ボタンの色は、通常色（たとえば青）から強調色（たとえば赤色）に変更される。
【００５７】
逆に、宛先に指定されていた宛先指定ボタンが更に押下される（ステップＳ１３でＹＥＳ）と、当該宛先指定ボタンに対応する選択肢が送信宛先から除外される。すなわち、当該宛先指定ボタンに対応する選択肢に関する宛先指定が解除される。このとき、宛先件数が１件デクリメントされる（ステップＳ１４）。そして、ステップＳ１５において、更新後（デクリメント後）の宛先件数が、件数表示領域２７０に表示される。また、当該宛先指定ボタンの色は、強調色から通常色に復帰する。
【００５８】
このようにして、宛先指定領域２５０において複数の選択肢を宛先として指定することが可能である。なお、図５においては、このような指定操作に応じて５つの選択肢（図中にて砂地ハッチングが付された選択肢）が宛先として指定された状態が示されている。
【００５９】
この実施形態においては、操作者は、件数表示領域２７０を押下することによって、宛先リスト領域２８０を表示（ポップアップ表示）させることができる。具体的には、ＭＦＰ１０は、件数表示領域２７０に対するユーザ操作（押下操作等）が受け付けられることを条件として、宛先リスト領域２８０（図７等参照）を操作画面２００内に表示する。宛先リスト領域２８０は、宛先指定領域２５０に対する操作によって指定された宛先を確認のためリスト表示する領域であり、宛先確認領域などとも称される。
【００６０】
図６は、このような宛先リスト領域２８０の表示動作等を示すフローチャートである。
【００６１】
図６に示すように、件数表示領域２７０がユーザにより押下されると、ステップＳ２１からステップＳ２２に進み、ＭＦＰ１０は、指定されている宛先件数（指定済み選択肢の個数）がゼロであるか或いは１以上かを判定する。
【００６２】
指定済み選択肢の個数が１以上である場合には、ＭＦＰ１０は、宛先リスト領域２８０を操作画面２００に表示（ポップアップ表示）する（ステップＳ２５）。すなわち、件数表示領域２７０に対するユーザ操作に応答して、宛先リスト領域２８０が操作画面２００内の所定位置に表示される。たとえば、図７に示されるように、宛先リスト領域２８０は、その一部（あるいは全部）が宛先指定領域２５０に重畳された状態で、操作画面２００に表示される。ただし、ここでは、宛先指定領域２５０をなるべく隠さないように、操作画面２００の左端側に寄せて（より詳細には、宛先指定領域２５０の左端側に隣接する領域を主に利用して）表示される。また、宛先リスト領域２８０には、１又は複数の指定済み選択肢が所定基準の順序（例えば指定順）で表示される。なお、宛先リスト領域２８０は、その内部に設けられた「閉じる」ボタンに対する押下操作に応答して閉じられ、元の操作画面２００（図５）が再び表示される。
【００６３】
一方、指定済み選択肢の個数がゼロである場合には、ＭＦＰ１０は、宛先リスト領域２８０を操作画面２００に表示しない。換言すれば、指定済み選択肢の個数がゼロである場合には、件数表示領域２７０に対するユーザ操作が受け付けられても、ＭＦＰ１０は、宛先リスト領域を操作画面に表示しない。
【００６４】
なお、以上のようにして宛先リスト領域２８０が適宜に表示されるなどの処理が行われた後、ユーザは、宛先リスト領域２８０内の表示内容を視認する。そして、当該ユーザは、全ての送信先が正しいことを確認すると、操作パネル部６ｃに設けられたスタートボタン（不図示）を押下して画像の送信動作をＭＦＰ１０に開始させる。
【００６５】
以上のような態様によれば、宛先指定領域２５０を用いた宛先指定操作が実際に行われている途中においては、原則として宛先リスト領域２８０が表示されない（図５参照）ので、操作画面２００内の比較的広いスペースに配置された宛先指定領域２５０を用いて当該宛先指定操作を行うことが可能である。また、宛先指定操作の完了時（あるいは一時休止時）等においては、件数表示領域２７０をユーザが押下することによって、宛先リスト領域２８０が操作画面２００に表示される（図７参照）。すなわち、ユーザが宛先を確認したい場合には、ユーザの所望の時点にて件数表示領域２７０を押下することによって、宛先リスト領域２８０を表示させることが可能である。このように、操作画面内の表示スペースを有効に利用して宛先指定領域と宛先リストとを表示することが可能である。
【００６６】
特に、宛先リスト領域２８０は常時表示されるのではなくユーザの所望のタイミングでのみ表示される。そのため、宛先リスト領域２８０を宛先指定領域２５０の一部（または全部）に重畳させて表示することが可能であり、宛先リスト領域２８０を縮小することなく（比較的大きく）表示することが可能である。したがって、宛先リスト領域２８０を見易く表示することが可能であり、ひいては、誤送信を良好に抑制することが可能である。
【００６７】
また、件数表示領域２７０は、宛先件数の表示領域として利用されるとともに、宛先リスト領域２８０の表示指示受付領域（謂わば、宛先リスト表示指示ボタン）としても利用されている。すなわち、件数表示領域２７０は、宛先件数表示機能と宛先リスト領域２８０の表示指示受付機能との双方を有している。したがって、各機能向けにそれぞれ専用領域を設ける場合に比べて、タッチパネル２５の表示スペースの更なる有効利用を図ることが可能である。特に、タッチパネル２５が比較的小さい場合には、件数表示領域２７０とは別に専用の宛先リスト表示指示ボタンを設けるスペースを確保することが困難なこともあるのに対して、上記実施形態によれば、そのような問題を解消することも可能である。また、仮に、件数表示領域２７０とは別に専用の宛先リスト表示指示ボタンが設けられる場合にはユーザが操作画面２００の中から当該専用ボタンを探し出すことを要する。これに対して、上記実施形態によれば宛先件数の表示領域が宛先リスト表示指示ボタンとして機能するので、目につきやすい件数表示領域２７０を押下するという直感的な操作によって、宛先件数の内容である各宛先を容易に確認することが可能である。
【００６８】
このように、上記実施形態によれば、タッチパネル２５の表示スペースを有効に利用して宛先リスト領域２８０を見易く表示し、誤送信を良好に抑制することが可能である。
【００６９】
なお、上記態様に限定されず、たとえば、宛先指定領域２５０における指定済み選択肢の個数に依存することなく、件数表示領域２７０に対するユーザ操作に応答して宛先リスト領域２８０が無条件に表示されるようにしてもよい。
【００７０】
また、ここでは、宛先リスト領域２８０が操作画面２００の左端側に寄せて表示されているが、これに限定されない。たとえば、宛先リスト領域２８０は、操作画面２００の右端側に寄せて表示されるようにしてもよく、操作画面２００の下端側あるいは上端側に寄せて表示されるようにしてもよい。また、宛先リスト領域２８０は、操作画面２００の全体に亘って表示されてもよい。ただし、宛先リスト領域２８０と宛先指定領域２５０とを同時並列的に利用するという観点からは、宛先リスト領域２８０は、宛先指定領域２５０の大部分（たとえば、半分以上）を隠さない位置に表示されることが好ましい。
【００７１】
＜２．第２実施形態＞
第２実施形態は第１実施形態の変形例である。以下、第１実施形態との相違点を中心に説明する。
【００７２】
上記第１実施形態においては、宛先指定領域２５０における指定済み選択肢が１件以上である場合には、件数表示領域２７０に対するユーザ操作に応答して宛先リスト領域２８０が無条件に表示される態様が例示されている。
【００７３】
この第２実施形態においては、宛先指定領域２５０における指定済み選択肢が１件以上であり且つ更なる条件が充足される場合に、件数表示領域２７０に対するユーザ操作に応答して宛先リスト領域２８０が表示される態様を例示する。具体的には、１又は複数の指定済み選択肢のいずれかが件数領域押下操作の受付時点において宛先指定領域２５０に表示されていないことが、更なる条件として課される態様が例示される。
【００７４】
図８は、第２実施形態に係る宛先リスト領域の表示動作等を示すフローチャートである。
【００７５】
ステップＳ２１，Ｓ２２までは第１実施形態に係る宛先リスト領域の表示動作（図６）と同様である。
【００７６】
ただし、ステップＳ２２にて、指定済み宛先の件数が１以上であると判定される場合には、ステップＳ２３に進む。ステップＳ２３では、ＭＦＰ１０は、この時点（件数表示領域２７０に対する押下操作の受付時点）において指定済み宛先の全てが宛先指定領域２５０に（最大１５個の宛先指定ボタンのいずれかとして）表示されているか否か、が判定される。
【００７７】
件数領域押下操作の受付時点において指定済み選択肢の全てが宛先指定領域２５０に表示されている場合には、ステップＳ２５が実行されずに図８のフローチャートの処理が終了する。すなわち、件数表示領域２７０に対するユーザ操作が受け付けられても、ＭＦＰ１０は、宛先リスト領域２８０を操作画面２００に表示しない。
【００７８】
たとえば、図５に示すように、５つの指定済み選択肢（図中にて砂地ハッチングを付して示す選択肢）の全てが宛先指定領域２５０に表示されている場合には、件数領域押下操作が受け付けられても、ＭＦＰ１０は、宛先リスト領域２８０を操作画面２００に表示しない。
【００７９】
全ての指定済み宛先が宛先指定領域２５０に現に表示されているのでユーザは、宛先指定領域２５０を視認することによって全ての指定済み宛先を確認することが可能である。端的に言えば、宛先リスト領域２８０が表示されなくても、全ての指定済み宛先を確認することが可能である。また、宛先リスト領域２８０が表示されないことによって、宛先リスト領域２８０の表示によって別の表示（宛先指定領域２５０における未指定の選択肢等）が隠れてしまうことを回避することが可能である。
【００８０】
一方、件数領域押下操作の受付時点において指定済み選択肢の少なくとも１つが宛先指定領域２５０に表示されていない場合には、ステップＳ２３からステップＳ２５に進み、宛先リスト領域２８０が操作画面２００に表示される。換言すれば、ＭＦＰ１０は、件数表示領域２７０に対するユーザ操作に応答して、宛先リスト領域２８０を操作画面２００に表示する。
【００８１】
たとえば、図９に示すように、上述の５つの指定済み選択肢（図５参照）に加えて、スクロールバー３５０に対するスクロール操作に応じて宛先指定領域２５０に表示された別の選択肢群の中から、更に２つの選択肢が宛先として指定されている状況を想定する。この状況において件数領域押下操作が行われる場合には、当該ユーザ操作時点にて７つの指定済み選択肢のいずれか（具体的には、上述の５つの指定済み選択肢）が宛先指定領域２５０に表示されていないと判定される。そして、件数表示領域２７０に対する当該ユーザ操作に応答して、宛先リスト領域２８０が操作画面２００に表示される（図１０参照）。
【００８２】
図１０の宛先リスト領域２８０においては、７つの指定済み選択肢のうち、指定順で上位５つの指定済み選択肢（「ＦＧＨ電気」、...、「ＨＩＪ電気」）が初期表示されている。また、宛先リスト領域２８０内のスクロールバー３８０を操作することによって、宛先リスト領域２８０内の宛先リスト表示がスクロールする。これにより、図１１に示すように、残りの２つの指定済み選択肢（「ＰＰＰ電気」および「ＱＱＱ機械」）が宛先リスト領域２８０に表示され得る。
【００８３】
以上のように、宛先指定領域２５０における指定済み選択肢が１件以上であり且つ１又は複数の指定済み選択肢の少なくとも１つが宛先指定領域２５０に表示されていないことを条件として、宛先リスト領域２８０が表示されるようにしてもよい。
【００８４】
なお、上記態様に限定されず、たとえば、宛先指定領域２５０における指定済み選択肢がゼロ件である場合にも、件数表示領域２７０に対するユーザ操作に応答して宛先リスト領域２８０が表示されるようにしてもよい。
【００８５】
＜３．第３実施形態＞
第３実施形態は、上記第１および第２実施形態の変形例である。この第３実施形態においては、宛先リスト領域２８０内における表示順序に関する変形例を例示する。以下、第１実施形態等との相違点を中心に説明する。
【００８６】
上記各実施形態においては、指定済み選択肢が宛先リスト領域２８０にて指定順序と同じ順序でリストアップされる態様が例示されている。この第３実施形態では、宛先リスト領域２８０が複数回表示される場合に、或る時点での宛先リスト領域２８０において、前回までの宛先リスト領域２８０にて未だ表示されていない宛先が、優先的に（例えばリスト先頭側に）表示される。換言すれば、宛先リスト領域が一旦非表示にされた後に再び表示される際には、指定済み選択肢のうち宛先リスト領域２８０にて（宛先リスト領域２８０の前回の表示時点までに）未だリスト表示されていない選択肢が優先的に表示される。このような態様について説明する。
【００８７】
図１２は、そのような宛先リストの表示処理に関するフローチャートである。図１２は、ステップＳ２５（図６および図８参照）にて実行される処理を示している。また、図１３および図１４は、表示管理用データ４００を示す図である。表示管理用データ４００においては、宛先指定領域２５０にて指定された複数の宛先に関するデータが、宛先指定領域２５０における指定順序に従って、上から下に向けて順次に登録されている。また、各行のレコードは、それぞれ、各宛先に関する各種の情報（「宛先指定順番号」、「宛先識別番号」、「宛先名称」、「表示済みフラグ」）を有している。「宛先指定順番号」は、各宛先の指定順序を示す番号であり、「宛先識別番号」は、各宛先を識別するための識別番号であり、「宛先名称」は各宛先の名称である。また、「表示済みフラグ」は、各宛先が宛先リスト領域２８０にて表示されたか否かを示すフラグ情報である。なお、図１３および図１４は、互いに異なる時点での表示管理用データ４００を示している。
【００８８】
さて、ここでは次のような概略動作が行われるものとする。具体的には、まず、図３のような操作画面２００の宛先指定領域２５０において５つの選択肢が順次に押下され宛先として指定される（図５参照）。つぎに、図５の操作画面２００において件数表示領域２７０が押下され、図７に示すように宛先リスト領域２８０が一度表示された後、当該宛先リスト領域２８０の「閉じる」ボタンが押下されて図５の操作画面２００に戻る。その後、スクロールバー３５０に対するスクロール操作に応じて、図９に示すような別の選択肢群が宛先指定領域２５０に表示される。そして、図９の状態において、２つの選択肢が宛先として新たに指定された後に、件数表示領域２７０が再び押下され、宛先リスト領域２８０が再び表示される（図１５参照）。
【００８９】
以下では、このような動作について順次に説明する。
【００９０】
具体的には、まず、図３のような操作画面２００の宛先指定領域２５０において５つの選択肢が順次に押下され宛先として指定される。図１３は、５つの選択肢の指定完了直後の時点での表示管理用データ４００を示している。
【００９１】
図１３の１行目においては、１番目に指定された宛先「ＦＧＨ電気」に関する情報（具体的には、「宛先指定順番号」＝「０１」、「宛先識別番号」＝「００２」、「宛先名称」＝「ＦＧＨ電気」、「表示済みフラグ」＝「０」）が記録されている。
【００９２】
以下、同様に、２番目から５番目に指定された各宛先（「ＫＬＭＮ機械」、「ＰＱＲ化学」、「ＥＦＧ開発」および「ＨＩＪ電気」）に関する情報が順次に記録されている。
【００９３】
なお、この時点では、５つの指定済み宛先のいずれも宛先リスト領域２８０に未だ表示されていないので、これら５つの指定済み宛先に関する「表示済みフラグ」は、「０（ゼロ）」（「未表示」を意味する）に設定されている。
【００９４】
つぎに、図５の操作画面２００において件数表示領域２７０が押下されると、図１２に示す処理が実行される。その結果、図７に示すように宛先リスト領域２８０が操作画面２００に一度表示される。
【００９５】
具体的には、まず、ステップＳ２５１において注目番号が初期化される。つぎに、ステップＳ２５２において注目番号が１インクリメントされ「１」に設定され、当該注目番号「１」と同じ宛先指定順番号「０１」を有する宛先「ＦＧＨ電気」が「注目宛先」に設定される。
【００９６】
そして、ステップＳ２５３において、当該注目宛先が前回までの宛先リスト領域２８０において既に表示されているか否かが判定される。詳細には、注目宛先の「表示済みフラグ」が「１」（「表示済み」を意味する）であるか否かに基づいて、当該注目宛先が表示済み宛先か否かが判定される。当該注目宛先が前回までの宛先リスト領域２８０において未だ表示されていない宛先である場合にはステップＳ２５６（後述）に進む。一方、当該注目宛先が前回までの宛先リスト領域２８０において既に表示されている宛先である場合には、ステップＳ２５４を経由してステップＳ２５２に戻り、同様の動作が繰り返される。
【００９７】
このようにして、ステップＳ２５２，Ｓ２５３，Ｓ２５４においては、最も若い（小さな）未表示番号を探す処理が行われる。
【００９８】
この時点では、注目宛先「ＦＧＨ電気」の「表示済みフラグ」は「０」であり、当該注目宛先は表示済みではないと判定され、ステップＳ２５６に進む。
【００９９】
ステップＳ２５６においては、注目番号から末尾番号までの宛先を先頭側に配置した宛先リストが表示される。ただし、ここでは、注目番号＝「１」であるため、結果的に元の指定順のまま宛先が配置された宛先リストが表示される。
【０１００】
そして、ステップＳ２５７において、表示管理用データ４００が更新される。具体的には、５つの指定済み宛先が宛先リスト領域２８０に表示されたことを反映して、当該５つの指定済み宛先の各「表示済みフラグ」が「０」から「１」に変更される。なお、宛先リスト領域２８０に表示された宛先は、ユーザによって確認された宛先であるとみなされる。
【０１０１】
その後、ユーザは、宛先リスト領域２８０内の「閉じる」ボタン（図７参照）を押下する。これに応じて、宛先リスト領域２８０が一旦非表示にされ、タッチパネル２５には、図５の操作画面２００が再び表示される。
【０１０２】
さらに、スクロールバー３５０に対するスクロール操作に応じて、図９に示すような別の選択肢群が宛先指定領域２５０に表示される。
【０１０３】
そして、図９の状態において、別の２つの選択肢（「ＰＰＰ電気」および「ＱＱＱ機械」）が順次に押下され宛先として新たに指定される。図１４は、当該２つの選択肢の指定完了直後の時点での表示管理用データ４００を示している。
【０１０４】
図１４の６行目においては、６番目に指定された宛先「ＰＰＰ電気」に関する情報（具体的には、「宛先指定順番号」＝「０６」、「宛先識別番号」＝「０２２」、「宛先名称」＝「ＰＰＰ電気」、「表示済みフラグ」＝「０」）が記録されている。
【０１０５】
図１４の７行目においては、７番目に指定された宛先「ＱＱＱ機械」に関する情報（具体的には、「宛先指定順番号」＝「０７」、「宛先識別番号」＝「０２３」、「宛先名称」＝「ＱＱＱ電気」、「表示済みフラグ」＝「０」）が記録されている。
【０１０６】
また、図１４の１行目〜５行目の各宛先の「表示済みフラグ」は、上述のように「１」に変更されている。
【０１０７】
この状態において、件数表示領域２７０が押下されると、図１２に示す処理が再び実行される。その結果、今度は、図１５に示すような宛先リスト領域２８０が操作画面２００に表示される。
【０１０８】
具体的には、まず、ステップＳ２５１，Ｓ２５２において注目番号がまず「１」に設定され、宛先「ＦＧＨ電気」が「注目宛先」に設定される。そして、ステップＳ２５３において、当該注目宛先の表示済みフラグが「１」であることに基づいて、当該注目宛先が前回までの宛先リスト領域２８０において既に表示されている旨が判定され、ステップＳ２５４を経由してステップＳ２５２に戻る。その後、注目番号をインクリメントしつつ同様の動作が繰り返される。このようにして、ステップＳ２５２〜Ｓ２５４においては、最も若い未表示番号を探す処理が行われる。
【０１０９】
その結果、ここでは、注目番号「６」の宛先「ＰＰＰ電気」の表示済みフラグが「０」であることに基づいて、注目宛先「ＰＰＰ電気」が前回までの宛先リスト領域２８０において未だリスト表示されていない旨（すなわち、最も若い未表示番号が「６」である旨）が判定され、ステップＳ２５６に進む。
【０１１０】
ステップＳ２５６においては、注目番号から末尾番号までの宛先をリスト先頭側に配置した宛先リストが表示される。具体的には、注目番号「６」から末尾番号「７」までの宛先を、それ以外の宛先（番号「１」から番号「５」までの宛先）よりも先頭側に配置した宛先リスト領域２８０が表示される（図１５参照）。図１５の宛先リスト領域２８０においては、指定順で６番目の宛先「ＰＰＰ電気」と指定順で７番目の宛先「ＱＱＱ機械」とが、宛先リストの１番目および２番目に配置されている。宛先リストの３番目〜５番目には、指定順で１番目〜３番目の各宛先が（指定順で６番目〜７番目の各宛先に引き続いて）リストアップされている。
【０１１１】
このように、宛先リスト領域２８０の再表示時において、未表示宛先（ここでは、「ＰＰＰ電気」および「ＱＱＱ機械」）を優先的に（リスト先頭側に）表示することができる。
【０１１２】
その後、ステップＳ２５７において表示管理用データ４００が更新される。
【０１１３】
なお、図１５の宛先リスト領域２８０は最大で５つの宛先を表示する宛先リストであり、配置更新後に５番目までの表示順序を有する宛先が、宛先リスト領域２８０に表示される。ステップＳ２５７においては、配置更新後に５番目までの表示順序を有する宛先（且つその表示済みフラグが「０」であった宛先）に関する表示済みフラグが「１」に変更される。
【０１１４】
配置更新後に６番目以降の表示順序を有する宛先は、宛先リスト領域２８０の表示開始時点では表示されておらず、スクロールバー３８０に対するスクロール操作に応じて表示される。当該スクロール操作に応じて初めて宛先リスト領域２８０に表示された宛先が存在する場合には、当該宛先の表示済みフラグが「０」から「１」に変更される。
【０１１５】
以上のように、図１５にも示すように、宛先リスト領域２８０の再表示時において、未表示宛先（ここでは、「ＰＰＰ電気」および「ＱＱＱ機械」）が優先的に（リスト先頭側に）表示されるので、未表示の宛先を比較的容易に確認することが可能である。すなわち、確認作業の効率化を図ることが可能である。
【０１１６】
なお、図１２のステップＳ２５４においては、注目番号が末尾番号（指定済み宛先の件数）に到達したか否かが判定される。注目番号が末尾番号に未だ到達していないと判定される場合にはステップＳ２５２に戻る。一方、注目番号が末尾番号に到達したとステップＳ２５４にて判定される場合（すなわち、全ての指定済み宛先がリスト表示済みであると判定される場合）には、ステップＳ２５５に進む。ステップＳ２５５では、宛先を登録順のまま配置した宛先リストが表示される。たとえば、図７のように宛先リスト領域２８０を一旦表示した後に図５のように宛先リスト領域２８０を非表示にした状態で件数表示領域２７０が押下される場合には、５つの宛先の全ての「表示済みフラグ」が「１」であるため、図１２のステップＳ２５５に進み、図７のような宛先リスト領域２８０が操作画面２００に表示される。
【０１１７】
また、上記第３実施形態においては、指定順序で配列された複数の選択肢に関してその配列の途中の位置に未表示の選択肢が存在する場合に、当該未表示の選択肢を含む選択肢（具体的には、当該未表示の選択肢から末尾の選択肢まで）が優先的に表示されている。このような態様は、指定順序で配列された複数の選択肢に関して、その配列の或る位置（特に最後尾付近）以降に未表示の選択肢が連続的に存在する場合に特に有用である。ただし、本発明は、これに限定されない。たとえば、指定順序で配列された複数の選択肢に関して、その配列の任意の位置に（飛び飛びで）複数の未表示の選択肢が存在する場合に、当該複数の未表示の選択肢（複数の選択肢の中から抽出された複数の未表示の選択肢）が優先的に表示されるようにしてもよい。また、指定順序に依拠することなく、未表示の選択肢が優先的に表示されるようにしてもよい。より詳細には、複数の未表示の選択肢は指定順序以外の順序で配列されてもよく、複数の既表示の選択肢も指定順序以外の順序で配列されてもよい。
【０１１８】
＜４．第４実施形態＞
第４実施形態は、第１実施形態の変形例である。以下、第１実施形態との相違点を中心に説明する。
【０１１９】
第４実施形態においては、宛先指定領域２５０のうち指定済み選択肢が配置されている領域を避けて、宛先リスト領域２８０が件数領域押下操作に応答して操作画面２００にポップアップ表示される態様が詳細に例示される。端的に言えば、宛先リスト領域２８０が、指定済み選択肢に重複しないように配置される。より具体的には、操作画面２００の略中央に配置された宛先指定領域２５０の最左列および最右列のうち指定済み選択肢が配置されていない一方の列に対応する領域と、その隣接領域（宛先指定領域２５０の外側（左側あるいは右側）に隣接する隣接領域）とを利用して、宛先リスト領域２８０が配置（表示）される。ここでは、最左列および最右列のうち、最左列が優先的に利用されて宛先リスト領域２８０が配置される。
【０１２０】
また、宛先指定領域２５０においては、複数の選択肢が３列以上の複数の列（ここでは５列）に区分して設けられている。宛先リスト領域２８０がポップアップ表示される際には、宛先指定領域２５０内の複数の列の選択肢のうち最左列と最右列とを除く中央の列（ここでは中央の３列）には常に重複しないように宛先リスト領域２８０が配置される。なお、これに限定されず、複数の選択肢は、３列未満（たとえば２列）に区分されて表示されるようにしてもよい。
【０１２１】
図１６は、第４実施形態に係る宛先リスト領域の表示動作等を示すフローチャートである。ステップＳ３１においては、ステップＳ２１と同様の判定処理が行われる。件数表示領域２７０が押下されると、ステップＳ３１からステップＳ３２に進む。
【０１２２】
ステップＳ３２では、宛先指定領域２５０の最左列に指定済み選択肢が配置されているか否かが判定される。
【０１２３】
宛先指定領域２５０の最左列に指定済み選択肢が配置されていない場合には、ステップＳ３３に進み、宛先リスト領域２８０が最左列の選択肢の配置領域に重畳表示される。たとえば、図５のような５つの選択肢が選択された状態において、件数表示領域２７０が押下されると、図７に示すように、宛先リスト領域２８０が、最左列の上下方向３段の宛先指定ボタン（「ＡＢＣＤＥ電気」、「ＶＷＸ会社」および「ＰＱＲＳ電気」（図５参照））に重なるように表示される。換言すれば、宛先指定領域２５０のうち指定済み選択肢が配置されていない領域を利用して、宛先リスト領域２８０が表示される。詳細には、最左列の選択肢の配置領域と左方端側において宛先指定領域２５０に隣接する隣接領域とを利用して宛先リスト領域２８０が表示される。
【０１２４】
一方、宛先指定領域２５０の最左列に指定済み選択肢が配置されている場合には、ステップＳ３２からステップＳ３４に進む。
【０１２５】
ステップＳ３４では、宛先指定領域２５０の（反対側の）最右列に指定済み選択肢が配置されているか否かが判定される。
【０１２６】
宛先指定領域２５０の最右列に指定済み選択肢が配置されていない場合には、ステップＳ３５に進み、宛先リスト領域２８０が宛先指定領域２５０の最右列の選択肢の配置領域に重畳表示される。たとえば、図１７のような５つの選択肢が選択された状態において件数表示領域２７０が押下されると、図１７に示すように、宛先リスト領域２８０が、最右列の上下方向３段の宛先指定ボタンに重なるように表示される。換言すれば、宛先指定領域２５０のうち指定済み選択肢が配置されていない領域を利用して、宛先リスト領域２８０が表示される。詳細には、最右列の配置領域と右方端側において宛先指定領域２５０に隣接する隣接領域とを利用して宛先リスト領域２８０が表示される。
【０１２７】
一方、宛先指定領域２５０の最右列にも指定済み選択肢が配置されている場合（すなわち宛先指定領域２５０の最左列と最右列との双方に指定済み選択肢が配置されている場合）には、ステップＳ３６に進む。
【０１２８】
ステップＳ３６では、宛先リスト領域２８０が、その表示サイズが低減された上で、操作画面２００に表示される。
【０１２９】
たとえば、図１８に示すように、宛先指定領域２５０内の各選択肢の有効表示領域（各選択肢を示す文字が配置される領域）、特に、宛先指定領域２５０内の最右列の選択肢の有効表示領域を避け得る大きさにまでその表示サイズが低減された上で、宛先リスト領域２８０が表示される。図１８においては、図７および図１７の宛先リスト領域２８０よりも小さなサイズの宛先リスト領域２８０が表示される。ここでは、図７の宛先リスト領域２８０の表示内容をそのまま縮小することにより、宛先リスト領域２８０の表示サイズが低減されている。なお、図１８においては、比較のため、図１７の宛先リスト領域２８０の表示サイズが二点鎖線で示されている。後述する図１９および図２０においても同様である。
【０１３０】
このような態様によれば、最左列と最右列との一方に指定済み選択肢が配置されていない場合には、宛先指定領域２５０のうち指定済み選択肢が配置されている領域（中央の３列、ならびに、最左列あるいは最右列）を避けて宛先リスト領域２８０が配置されるので、指定済み選択肢が宛先リスト領域２８０によって隠されてしまうことを防止することができる。したがって、ユーザは、宛先リスト領域２８０と宛先指定領域２５０（特に指定済み選択肢）との双方を視認しつつ、自らが指定した選択肢を確認することが可能である。さらに、ユーザは、誤指定の選択肢を宛先リスト領域２８０および宛先指定領域２５０にて見つけた場合には、宛先指定領域２５０における当該誤指定の選択肢を再押下することによって、誤指定の選択肢に関する宛先指定状態を容易に解除することも可能である。
【０１３１】
また、最左列および最右列のいずれにも指定済み選択肢が配置されていない場合には、最左列を優先して利用して宛先リスト領域２８０が配置される。したがって、操作画面２００の最左列に宛先リスト領域２８０を良好に表示しつつ、操作者の右手（右利きの操作者の利き手）で宛先指定領域２５０内の選択肢の追加指定操作等を適宜行うことが可能である。特に、操作画面２００の最左列に宛先リスト領域２８０が表示されているので、右手による選択肢追加指定操作時に宛先リスト領域２８０が右手で隠れてしまうことを防止できる。
【０１３２】
なお、ここでは、最左列および最右列のいずれにも指定済み選択肢が配置されていない場合には、宛先リスト領域２８０が左右方向の左端側の位置（最左列に宛先リスト領域２８０の一部が重畳する位置）に優先的に表示される態様が例示されているが、これに限定されない。たとえば、最左列および最右列のいずれにも指定済み選択肢が配置されていない場合には、逆に、宛先リスト領域２８０が左右方向の右端側の位置（最右列に宛先リスト領域２８０の一部が重畳する位置）に優先的に表示されるようにしてもよい。これによれば、左利きの操作者の左手（利き手）による選択肢追加指定操作時に宛先リスト領域２８０が左手で隠れてしまうことを防止できる。また、左端側と右端側とのいずれに宛先リスト領域２８０を優先的に表示するかは、ユーザごとに設定されるようにしてもよい。
【０１３３】
また、ここでは、指定済み選択肢が宛先指定領域２５０の最左列および最右列の双方に配置されている場合には、その表示サイズが低減された宛先リスト領域２８０が操作画面２００内の右端側に配置されているが、これに限定されない。たとえば、指定済み選択肢が宛先指定領域２５０の最左列および最右列の双方に配置されている場合には、図１９に示すように、その表示サイズが低減された宛先リスト領域２８０が操作画面２００内の左端側（図１９では宛先指定領域２５０の左側隣接領域）に配置されるようにしてもよい。
【０１３４】
また、ここでは、元の（縮小前の）宛先リスト領域２８０の表示内容（宛先を示す文字等を含む）をそのまま縮小することにより、宛先リスト領域２８０の表示サイズが低減されているが、これに限定されない。たとえば、図２０に示すように、宛先リスト領域２８０の表示件数を低減することにより、宛先リスト領域２８０の表示サイズが低減されるようにしてもよい。図２０の宛先リスト領域２８０の表示件数は２件であり、元の宛先リスト領域２８０の表示件数（５件）よりも低減されている。表示件数の低減により宛先リスト領域２８０の表示サイズを低減することによれば、宛先リスト領域２８０における各宛先を示す文字を縮小せずに済む（あるいは文字サイズの低減を最小限にとどめることができる）。また、図２０の宛先リスト領域２８０は、操作画面２００内において宛先指定領域２５０に重ならないように、宛先指定領域２５０の上側に配置されている。そのため、宛先指定領域２５０内の各選択肢が見難くなることを回避できる。なお、これに限定されず、図２０の宛先リスト領域２８０に代えて、宛先リスト領域２８０が宛先指定領域２５０の下側に（例えば詳細設定呼出ボタン２３０上に）宛先指定領域２５０に重ならないように配置されるようにしてもよい。
【０１３５】
また、ここでは、指定済み選択肢が宛先指定領域２５０の最左列および最右列の双方に配置されている場合には、その表示サイズが低減された宛先リスト領域２８０が、件数表示領域２７０に対するユーザ操作に応答して表示されている（ステップＳ３４（図１６））が、これに限定されない。たとえば、 指定済み選択肢が宛先指定領域２５０の最左列および最右列の双方に配置されている場合には、件数表示領域２７０に対するユーザ操作が受け付けられても、宛先リスト領域２８０が操作画面２００に表示されないようにしてもよい。より詳細には、図２１に示すように、指定済み選択肢が宛先指定領域２５０の最左列および最右列の双方に配置されている旨がステップＳ３２，Ｓ３４にて判定される場合には、ステップＳ３６（図１６）を実行せず、宛先リスト領域２８０を表示しないようにしてもよい。
【０１３６】
また、ここでは、宛先指定領域２５０のうち指定済み選択肢が配置されている領域を列単位で避けて宛先リスト領域２８０が配置される態様（図７および図１７等）が例示されているが、これに限定されない。たとえば、宛先指定領域２５０のうち指定済み選択肢が配置されている領域をボタン領域単位で避けて、宛先リスト領域２８０が配置されるようにしてもよい（図２２参照）。図２２においては、最左列の３つの選択肢のうち、最下段の選択肢（「ＰＱＲＳ電気」）が指定済み選択肢である一方、当該最左列の３つの選択肢のうち、最上段の選択肢と中段の選択肢とは未指定の選択肢である状況が示されている。この状況において、宛先リスト領域２８０が、最下段の指定済み選択肢（「ＰＱＲＳ電気」）を避けつつ、最左列における最上段および中段の合計２つの選択肢に重畳させて配置されるようにしてもよい。
【０１３７】
また、ここでは、最左列と最右列との一方に指定済み選択肢が配置されていない場合には、宛先指定領域２５０のうち指定済み選択肢が配置されているボタン領域全体を避けて、宛先リスト領域２８０が配置されている（図７および図１７等）が、これに限定されない。たとえば、宛先指定領域２５０のうち指定済み選択肢が配置されている有効表示領域を避けて、宛先リスト領域２８０が配置されるようにしてもよい。たとえば、図１７において、右から２番目の列の上側２段の２つの指定済み選択肢（「ＰＱＲ化学」および「ＨＩＪ電気」）の文字を隠さないようにしつつ、当該２つの指定済み選択肢を示す宛先指定ボタン内の右端側余白領域にも重畳して、宛先リスト領域２８０が表示されるようにしてもよい。これによっても、宛先指定領域２５０内の指定済み選択肢を実質的に隠さないようにして、指定済み選択肢を宛先指定領域２５０と宛先リスト領域２８０とを用いて確認することが可能である。
【０１３８】
＜５．第５実施形態＞
第５実施形態は、第４実施形態の変形例である。以下、第４実施形態との相違点を中心に説明する。
【０１３９】
上記第４実施形態においては、宛先指定領域２５０のうち、「指定済み選択肢」が配置されている領域を避けて、宛先リスト領域２８０が配置される態様が例示されている。
【０１４０】
この第５実施形態においては、宛先指定領域２５０のうち、（第４実施形態とは逆に）「未指定選択肢（未だ宛先として指定されていない選択肢）」が配置されている領域を避けて、宛先リスト領域２８０が操作画面２００内に配置される態様が例示される。端的に言えば、宛先リスト領域２８０が、未指定選択肢に重複しないように配置される。より具体的には、操作画面２００の略中央に配置された宛先指定領域２５０の最左列および最右列のうち、未指定選択肢が配置されていない一方の列に対応する領域と、その隣接領域（宛先指定領域２５０の外側（左側あるいは右側）に隣接する隣接領域）とを利用して、宛先リスト領域２８０が配置される。ここでは、最左列および最右列のうち、最左列が優先的に利用されて宛先リスト領域２８０が配置される。
【０１４１】
なお、本願では、「未指定選択肢」には、宛先として一旦指定された後にその指定状態が解除され且つ或る件数領域押下操作時点（件数表示領域に対するユーザ操作時点）にて未だ再指定されていない選択肢もが含まれるものとする。「未指定選択肢」は、宛先として指定されていない選択肢であることから、「非指定選択肢」とも称される。
【０１４２】
図２３は、第５実施形態に係る宛先リスト領域の表示動作等を示すフローチャートである。ステップＳ５１においては、ステップＳ３１と同様の判定処理が行われる。件数表示領域２７０が押下されると、ステップＳ５１からステップＳ５２に進む。
【０１４３】
ステップＳ５２では、宛先指定領域２５０の最左列に未指定選択肢が配置されているか否かが判定される。
【０１４４】
宛先指定領域２５０の最左列に未指定選択肢が配置されていない場合には、ステップＳ５３に進み、宛先リスト領域２８０が最左列の選択肢の配置領域に重畳表示される。
【０１４５】
たとえば、図２４のような８つの選択肢（図中で砂地ハッチングを付して示す選択肢）が選択された状態において、件数表示領域２７０が押下されると、図２５に示すように、宛先リスト領域２８０が、最左列の上下方向３段の宛先指定ボタンに重なるように表示される。換言すれば、宛先指定領域２５０のうち未指定選択肢が配置されていない領域（最左列のボタン配置領域）を利用して、宛先リスト領域２８０が表示される。詳細には、最左列の選択肢配置領域と左方端側において宛先指定領域２５０に隣接する隣接領域（左側隣接領域）とを利用して宛先リスト領域２８０が表示される。
【０１４６】
なお、図２４および図２５においては、左から２列目（右から４列目）の２つの選択肢（「ＡＢＣＤ印刷」および「ＵＶＷ機械」）と右から３列目の選択肢（ＸＹＺ電気」）と右から２列目の選択肢と最右列の３つの選択肢との合計７個の選択肢が、未だ宛先として指定されていない選択肢として示されている。
【０１４７】
一方、宛先指定領域２５０の最左列に未指定選択肢が配置されている場合には、ステップＳ５２からステップＳ５４に進む。
【０１４８】
ステップＳ５４では、宛先指定領域２５０の（反対側の）最右列に未指定選択肢が配置されているか否かが判定される。
【０１４９】
宛先指定領域２５０の最右列に未指定選択肢が配置されていない場合には、ステップＳ５５に進み、宛先リスト領域２８０が宛先指定領域２５０の最右列の選択肢の配置領域に重畳表示される。
【０１５０】
換言すれば、宛先指定領域２５０のうち未指定選択肢が配置されていない領域（最右列のボタン配置領域）を利用して、宛先リスト領域２８０が表示される。詳細には、最右列の選択肢配置領域と右端側において宛先指定領域２５０に隣接する隣接領域（右側隣接領域）とを利用して宛先リスト領域２８０が表示される。
【０１５１】
一方、宛先指定領域２５０の最右列にも未指定選択肢が存在する場合（すなわち宛先指定領域２５０の最左列と最右列との双方に未指定選択肢が配置されている場合）には、ステップＳ５４からステップＳ５６に進む。ステップＳ５６では、宛先リスト領域２８０が、その表示サイズが低減された上で、操作画面２００内に表示される。このとき、宛先リスト領域２８０は、上記第４実施形態あるいはその変形例等と同様にして、その表示サイズが低減された上で表示されればよい。
【０１５２】
以上のような第５実施形態によれば、宛先指定領域２５０のうち未指定選択肢が配置されている領域（中央の３列、ならびに、最左列あるいは最右列）を避けて宛先リスト領域２８０が配置されるので、未指定選択肢が宛先リスト領域２８０によって隠されてしまうことを防止することができる。したがって、ユーザは、未指定の選択肢であって本来は指定すべき選択肢を宛先リスト領域２８０を参照しつつ宛先指定領域２５０にて見つけた場合には、宛先指定領域２５０における当該選択肢（本来は指定すべき選択肢）を押下することによって、当該選択肢を宛先として容易に指定することが可能である。
【０１５３】
なお、第４実施形態に係る上述の各種改変と同様の改変をこの第５実施形態にも適用することが可能である。より具体的には、「指定済み選択肢」を「未指定選択肢」に変更して、上記第４実施形態に係る各種改変と同様の改変が適宜行われればよい。
【０１５４】
＜６．変形例等＞
以上、この発明の実施の形態について説明したが、この発明は上記説明した内容のものに限定されるものではない。
【０１５５】
たとえば、第３実施形態と第４実施形態等とが組み合わせて実行されるようにしてもよい。具体的には、ステップＳ３３，Ｓ３５，Ｓ３６（図１６）において、それぞれ、第３実施形態に係るリスト表示動作が行われても良い。同様に、第３実施形態と第５実施形態等とが組み合わせられて実行されるようにしてもよい。
【０１５６】
また、第４実施形態（あるいは第５実施形態）とその他の実施形態（たとえば第１実施形態あるいは第２実施形態）等とが組み合わせられて実行されるようにしてもよい。具体的には、ステップＳ３１とステップＳ３２との間（図１６参照）に、ステップＳ２２，Ｓ２３（図６および図８参照）の条件分岐処理が実行されるようにしてもよい。換言すれば、指定済み宛先の件数が１件以上であるか、および／または指定済み宛先のいずれかが宛先指定領域２５０に表示されていないか等の条件にも基づいて、宛先リスト領域２８０の表示の是非が決定されるようにしてもよい。
【０１５７】
また、上記各実施形態においては、予め登録された複数の選択肢が宛先指定領域２５０に表示される態様が例示されているが、これに限定されない。たとえば、ＭＦＰの使用に伴って自動的に「履歴」（宛先指定履歴）として随時登録された複数の選択肢が宛先指定領域２５０に表示される場合に、上記の各種の思想が適用されるようにしてもよい。
【０１５８】
また、上記各実施形態においては、画像送信装置として、ＭＦＰが例示されているが、、これに限定されない。画像送信装置は、たとえば、ファクシミリ専用装置あるいはスキャナ専用装置などであってもよい。
【符号の説明】
【０１５９】
１０  ＭＦＰ（画像送信装置）
６ｃ  操作パネル部
２５  タッチパネル
２００  操作画面
２３０  詳細設定呼出ボタン
２５０  宛先指定領域
２７０  件数表示領域
２８０  宛先リスト領域
４００  表示管理用データ
【図１】
2015226269.tif 000003
【図２】
2015226269.tif 000004
【図４】
2015226269.tif 000005
【図６】
2015226269.tif 000006
【図８】
2015226269.tif 000007
【図１２】
2015226269.tif 000008
【図１３】
2015226269.tif 000009
【図１４】
2015226269.tif 000010
【図１６】
2015226269.tif 000011
【図２１】
2015226269.tif 000012
【図２３】
2015226269.tif 000013
【図３】
2015226269.tif 000014
【図５】
2015226269.tif 000015
【図７】
2015226269.tif 000016
【図９】
2015226269.tif 000017
【図１０】
2015226269.tif 000018
【図１１】
2015226269.tif 000019
【図１５】
2015226269.tif 000020
【図１７】
2015226269.tif 000021
【図１８】
2015226269.tif 000022
【図１９】
2015226269.tif 000023
【図２０】
2015226269.tif 000024
【図２２】
2015226269.tif 000025
【図２４】
2015226269.tif 000026
【図２５】
2015226269.tif 000027